(57)【要約】【課題】各主装置のメモリ容量を圧迫することなく、自動着信呼分配サービスや着信転送サービス等の着信に係わる付加的なサービスを効率良く実現できるようにした電話システムを提供する。【解決手段】内線グループＧ１と専用線１上の主装置ＢＴ１，ＢＴ２とが予め対応付けられ、しかも内線グループＧ１内で複数の電話端末とそのログイン状態との対応関係を表す管理テーブル１１１を主装置ＢＴ１のみに記憶しておくようにし、主装置ＢＴ２は自装置ＢＴ２に収容される電話端末のログイン状態を監視し、ログインされた電話端末のログイン状態情報を主装置ＢＴ１に通知するようにしている。【選択図】      図２
2007088894.tif 000002
【特許請求の範囲】
【請求項１】
複数の電話端末を収容する少なくとも１つの第１の主装置と、この第１の主装置に対し通信ネットワークを介して接続され、複数の電話端末を収容する第２の主装置とを備える電話システムであって、
前記第１の主装置は、
前記第１及び第２の主装置にそれぞれ収容される複数の電話端末と、これら複数の電話端末それぞれの動作状態を示す状態情報とを対応付けた管理テーブルを記憶する記憶手段と、
前記第２の主装置から送られた前記状態情報に基づいて前記管理テーブル中の該当する状態情報を更新し、着信呼の到来時に、前記管理テーブルを参照し、この参照結果に基づいて該当する複数の電話端末に対し着信制御を実行する制御手段とを備え、
前記第２の主装置は、
複数の電話端末それぞれの動作状態を監視し、動作状態に変化があった場合に、その変化のあった電話端末の状態情報を前記第１の主装置に送信する送信手段とを備えたことを特徴とする電話システム。
【請求項２】
前記第１の主装置の制御手段は、
前記着信呼が到来した場合に、前記管理テーブルを参照し、この参照結果から該当する全電話端末が塞がっている場合に、前記着信呼を記録媒体に一時保持し、前記第２の主装置により空き状態となった電話端末を示す状態情報が通知された場合に、前記記録媒体に保持される着信呼を空きの電話端末に着信させることを特徴とする請求項１記載の電話システム。
【請求項３】
前記第１の主装置は、
前記第２の主装置が複数備えられ、これら複数の第２の主装置が複数の内線グループに分割されるとき、前記内線グループごとに、着信転送先となる転送先グループまたは転送先電話端末を対応付けた転送先テーブルを記憶する転送データ記憶手段をさらに備え、
前記制御手段は、内線グループ宛の着信呼を記録媒体に一時保持してから、予め決められた時間経過した場合に、前記転送先テーブルを参照し、この参照結果に基づいて前記記録媒体に保持された着信呼を該当する転送先グループまたは転送先電話端末に転送することを特徴とする請求項２記載の電話システム。
【請求項４】
前記転送データ記憶手段は、前記内線グループごとに、着信転送先となる複数の転送先グループまたは複数の転送先電話端末を優先順位とともにそれぞれ記憶してなり、
前記制御手段は、前記着信呼を記録媒体に一時保持してから、予め決められた時間経過した場合に、前記転送先テーブルを参照し、この参照結果に基づいて前記記録媒体に保持された着信呼を該当する転送先グループまたは転送先電話端末に対しその優先順位に従って選択的に転送させることを特徴とする請求項３記載の電話システム。
【発明の詳細な説明】
【技術分野】
【０００１】
この発明は、例えば複数の主装置を専用線を介して接続した電話システムに関する。
【背景技術】
【０００２】
ネットワーキングシステムは、例えば複数の支店や営業所を有する企業内において、上記各支店または営業所にそれぞれボタン電話装置といった主装置を設置してこれらの主装置間を専用線などの通信ネットワークを介して接続したものである。この種のシステムでは、各主装置ごとに内線間通信や外線発着信を行なえることは勿論のこと、異なる主装置間での内線通信や異なる主装置を経由した外線発着信を行なうことができる。
【０００３】
ところで、上記システムにおいては、主装置単体のシステムで実施されている自動着信呼分配（ＡＣＤ：Auto Call Distribution）サービスについても検討が進んでいる（例えば、特許文献１）。このＡＣＤサービスとは、複数の内線端末または複数の主装置により一つのＡＣＤグループを構成し、外線からの着信呼をＡＣＤグループ内の内線端末に均等に分配することにより、特定の内線端末への着信の集中を防止して着信呼を効率良く処理できるようにしたものである。ＡＣＤグループには、通常一つの代表番号が付与されており、発呼者はこの代表番号をダイヤルすることによりＡＣＤグループ内の内線端末に対し着信することができる。
【特許文献１】特開平１１−１１２６６６号公報
【発明の開示】
【発明が解決しようとする課題】
【０００４】
ところで、上記システムでは、ＡＣＤサービスを実現するために、着信呼振り分けに必要なリソース管理用データベースを各主装置に設ける必要がある。このため、リソース管理用データベースを設ける分メモリ容量を圧迫することになるとともに、番号計画の変更や主装置の増設等のシステム変更が行なわれるごとに、各主装置においてそれぞれリソース管理用データベースの設定登録をやり直さなければならず、そのメンテナンスに多くの時間と労力を要する。
【０００５】
そこで、この発明の目的は、複数の主装置を通信ネットワークに接続したシステムにあって、各主装置のメモリ容量を圧迫することなく、自動着信呼分配サービスや着信転送サービス等の着信に係わる付加的なサービスを効率良く実現できるようにした電話システムを提供することにある。
【課題を解決するための手段】
【０００６】
この発明は、上記目的を達成するために、以下のように構成される。  
複数の電話端末を収容する少なくとも１つの第１の主装置と、この第１の主装置に対し通信ネットワークを介して接続され、複数の電話端末を収容する第２の主装置とを備える電話システムであって、第１の主装置は、第１及び第２の主装置にそれぞれ収容される複数の電話端末と、これら複数の電話端末それぞれの動作状態を示す状態情報とを対応付けた管理テーブルを記憶する記憶手段と、第２の主装置から送られた状態情報に基づいて管理テーブル中の該当する状態情報を更新し、着信呼の到来時に、管理テーブルを参照し、この参照結果に基づいて該当する複数の電話端末に対し着信制御を実行する制御手段とを備え、第２の主装置は、複数の電話端末それぞれの動作状態を監視し、動作状態に変化があった場合に、その変化のあった電話端末の状態情報を第１の主装置に送信する送信手段とを備えるようにしたものである。
【０００７】
この構成によれば、第１及び第２の主装置それぞれに収容される複数の電話端末とその状態情報との対応関係を表す管理テーブルを第１の主装置のみに記憶しておくようにし、第２の主装置は収容した複数の電話端末の動作状態を監視し、変化のあった電話端末の状態情報を第１の主装置に通知するようにしているので、例えば保守用の第１の主装置において、第１及び第２の主装置に収容される電話端末の稼働状態を把握することが可能となる。
【０００８】
従って、１つの通信ネットワークを多数の主装置で共用する場合に、各主装置に管理テーブルを持たせておく必要がなく、これにより管理テーブルの更新制御に伴う負荷を軽減でき、システムのメンテナンス作業を簡単化することができる。
【０００９】
また、上記構成によれば、管理テーブルを用意したことにより、公衆網から着信呼が到来した場合に、この管理テーブルを参照して、複数の電話端末に対し着信分配を行なうことができる。
【００１０】
第１の主装置の制御手段は、着信呼が到来した場合に、管理テーブルを参照し、この参照結果から該当する全電話端末が塞がっている場合に、着信呼を記録媒体に一時保持し、第２の主装置により空き状態となった電話端末を示す状態情報が通知された場合に、記録媒体に保持される着信呼を空きの電話端末に着信させることを特徴とする。
【００１１】
この構成によれば、着信呼が到来した場合に、該当する全電話端末が塞がっている場合に、発信元に対し呼び出せない旨をすぐに知らせるのではなく、着信呼を一旦記録媒体に保持し、空きの電話端末が発生した時点で、記録媒体に保持されている着信呼を空きの電話端末に着信させるようにしている。このため、発信側では最初から発信操作をやり直す必要がなく、確実に電話端末に着信させることができる。
【００１２】
第１の主装置は、第２の主装置が複数備えられ、これら複数の第２の主装置が複数の内線グループに分割されるとき、内線グループごとに、着信転送先となる転送先グループまたは転送先電話端末を対応付けた転送先テーブルを記憶する転送データ記憶手段をさらに備え、制御手段は、内線グループ宛の着信呼を記録媒体に一時保持してから、予め決められた時間経過した場合に、転送先テーブルを参照し、この参照結果に基づいて記録媒体に保持された着信呼を該当する転送先グループまたは転送先電話端末に転送することを特徴とする。
【００１３】
この構成によれば、例えば着信先の内線グループに属する電話端末が話中であり、一定時間が経過しても空きの電話端末が無い場合に、他の着信可能なグループあるいは電話端末に対し記録媒体に保持されている着信呼を自動的に転送して着信させることが可能となる。これにより、グループ内で着信呼がいつまでも記録媒体を占有することなく、これにより記録媒体の有効利用率を高めることができる。
【発明の効果】
【００１４】
以上詳述したようにこの発明によれば、複数の主装置を通信ネットワークに接続したシステムにあって、各主装置のメモリ容量を圧迫することなく、自動着信呼分配サービスや着信転送サービス等の着信に係わる付加的なサービスを効率良く実現できるようにした電話システムを提供することができる。
【発明を実施するための最良の形態】
【００１５】
以下、この発明の実施形態について図面を参照して詳細に説明する。  
（第１の実施形態）  
図１は、この発明に係わる電話システムの第１の実施形態を示す概略構成図である。  
このシステムは、専用線１を有する。専用線１には、複数の主装置ＢＴ１〜ＢＴｎ（ｎは自然数）が接続されている。また、主装置ＢＴ１〜ＢＴｎには、電話端末Ｔ１１〜Ｔ１ｉ（ｉは自然数），Ｔ２１〜Ｔ２ｍ（ｍは自然数），Ｔ３１〜Ｔ３ｐ（ｐは自然数），Ｔｎ１〜Ｔｎｋ（ｋは自然数）が接続されている。また、主装置ＢＴ１，ＢＴｎは公衆網ＮＷ１，ＮＷ２に局線Ｌを介して接続されている。
【００１６】
主装置ＢＴ１〜ＢＴｎは、電話端末Ｔ１１〜Ｔ１ｉ，Ｔ２１〜Ｔ２ｍ，Ｔ３１〜Ｔ３ｐ，Ｔｎ１〜Ｔｎｋ相互間、公衆網ＮＷ１，ＮＷ２と電話端末Ｔ１１〜Ｔ１ｉ，Ｔ２１〜Ｔ２ｍ，Ｔ３１〜Ｔ３ｐ，Ｔｎ１〜Ｔｎｋとの間の発着信に係わる通常の交換制御機能を有する。
【００１７】
また、主装置ＢＴ１〜ＢＴｎは、グループＧ１，Ｇ２に分割される。グループＧ１には、主装置ＢＴ１，ＢＴ２、ＢＴ３が属し、グループＧ２には、主装置ＢＴ４〜ＢＴｎが属する。グループＧ１において、主装置ＢＴ１がマスターとして動作し、主装置ＢＴ２，ＢＴ３はスレーブとして動作する。
【００１８】
図２は、マスターとして動作する主装置ＢＴ１とスレーブとして動作する主装置ＢＴ２との接続構成を示す機能ブロック図である。ここでは、スレーブとして主装置ＢＴ２を代表して説明する。
【００１９】
主装置ＢＴ１は、エージェントグループ管理部１１と、ネットワークログイン通信部１２と、着信分配部１３と、ネットワーク端末状態通信部１４と、オーバーフロー制御部１５とを備えている。
【００２０】
エージェントグループ管理部１１は、管理テーブル１１１と、転送先テーブル１１２とを管理するものである。管理テーブル１１１は、図３に示すように、内線グループＧ１と、この内線グループＧ１に属する主装置ＢＴ１，ＢＴ２，ＢＴ３と、内線グループＧ１に属しログイン状態、つまり起動状態にある電話端末Ｔ１１〜Ｔ３ｐとの対応関係を記憶したものである。転送先テーブル１１２は、図４に示すように、内線グループＧ１と、その着信転送先となる複数の電話端末とその優先順位との対応関係を記憶したものである。
【００２１】
ネットワークログイン通信部１２は、専用線１を介して主装置ＢＴ２との間で通信を行なうもので、主装置ＢＴ２から送られるログイン状態更新情報の受信と、このログイン状態更新情報に応じてエージェントグループ管理部１１の管理テーブル１１１の登録情報の更新とを行なう。
【００２２】
着信分配部１３は、公衆網ＮＷ１からの着信呼が到来した場合に、管理テーブル１１１を参照してログイン状態にある電話端末Ｔ２１〜Ｔ２ｍに対する着信可否の問い合わせと、着信先として決定された電話端末に対する着信呼の転送を行なう。
【００２３】
ネットワーク端末状態通信部１４は、専用線１を介して主装置ＢＴ２との間で通信を行なうもので、主装置ＢＴ２から送られる端末状態更新情報の受信を行なう。
【００２４】
オーバーフロー制御部１５は、専用線１を介して主装置ＢＴ２との間で通信を行なうもので、内線グループＧ１以外の主装置ＢＴ４に対するオーバーフロー着信情報の送信と、このオーバーフロー着信情報に応じた着信結果情報の受信とを行なう。
【００２５】
これに対し、主装置ＢＴ２は、ネットワークログイン通信部２１と、ネットワーク端末状態通信部２２と、着信制御部２３とを備えている。
【００２６】
ネットワークログイン通信部２１は、専用線１を介して主装置ＢＴ１との間で通信を行なうもので、電話端末Ｔ２１〜Ｔ２ｍがログイン状態となったときにそのログイン状態更新情報を送信する。
【００２７】
ネットワーク端末状態通信部２２は、電話端末Ｔ２１〜Ｔ２ｍが通話中から空き状態に変化したときに、主装置ＢＴ１に対し端末状態更新情報の送信を行う。
【００２８】
着信制御部２３は、専用線１を介して主装置ＢＴ１との間で通信を行なうもので、主装置ＢＴ１から送られてくるエージェント着信情報に応じて電話端末Ｔ２１〜Ｔ２ｍの着信可否を判定し、この判定結果の送信とを行い、さらに、オーバーフロー着信情報に対する着信結果の送信とを行なう。
【００２９】
次に、以上のように構成された電話システムの動作を説明する。  
図５は、ログイン状態更新を行なう際の主装置ＢＴ１と、主装置ＢＴ２との間における情報の送受信動作を示す概略シーケンス図である。
【００３０】
主装置ＢＴ１において、内線グループＧ１及び専用線１上の主装置ＢＴ２の電話端末Ｔ２１〜Ｔ２ｍを同グループＧ１のエージェント端末として登録し、エージェントグループ管理部１１が管理する管理テーブル１１１に登録情報を格納する。
【００３１】
主装置ＢＴ１に対するスレーブとしての主装置ＢＴ２の電話端末Ｔ２１〜Ｔ２ｍのログイン操作により、ネットワークログイン通信部２１から専用線１を介してログイン状態更新通知をマスターの主装置ＢＴ１に送信する。
【００３２】
主装置ＢＴ１はネットワークログイン通信部１２において、専用線１を介して主装置ＢＴ２からのログイン状態更新情報を受信し、受信情報に付与されたエージェント端末情報に従い、エージェントグループ管理部１１が管理する管理テーブル１１１の登録情報を更新する。
【００３３】
以上のように上記第１の実施形態では、内線グループＧ１と主装置ＢＴ１，ＢＴ２，ＢＴ３とが予め対応付けられ、しかも内線グループＧ１内で複数の電話端末Ｔ１１〜Ｔ１ｉ，Ｔ２１〜Ｔ２ｍ，Ｔ３１〜Ｔ３ｐとそのログイン状態との対応関係を表す管理テーブル１１１をマスターとして動作する主装置ＢＴ１のみに記憶しておくようにし、他の主装置ＢＴ２，ＢＴ３のそれぞれは各自で電話端末Ｔ２１〜Ｔ２ｍ，Ｔ３１〜Ｔ３ｐのログイン状態を監視し、ログインされた電話端末Ｔ２１〜Ｔ２ｍ，Ｔ３１〜Ｔ３ｐのログイン状態情報を主装置ＢＴ１に通知するようにしている。
【００３４】
従って、例えば保守用として使用される主装置ＢＴ１において、内線グループＧ１内の全ての主装置ＢＴ１，ＢＴ２，ＢＴ３にそれぞれ収容される電話端末Ｔ１１〜Ｔ１ｉ，Ｔ２１〜Ｔ２ｍ，Ｔ３１〜Ｔ３ｐのログイン状態の一括管理が可能となる。また、システム変更により主装置ＢＴ１に設けられる管理テーブル１１１の更新が必要となった場合に、グループ単位で管理テーブル１１１の更新制御を行うことができる。このため、１つの専用線１を多数の主装置ＢＴ１〜ＢＴｎで共用する場合に、各主装置ＢＴ１〜ＢＴｎに管理テーブル１１１を持たせておく必要がなく、これにより管理テーブル１１１の更新制御に伴う負荷を軽減でき、システムのメンテナンス作業を簡単化することができる。
【００３５】
（第２の実施形態）  
図６は、この発明の第２の実施形態として、自動着信呼分配を行なう際の主装置ＢＴ１と主装置ＢＴ２との間における情報の送受信動作を示す概略シーケンス図である。なお、ここでは、主装置ＢＴ１に収容される電話端末Ｔ１１〜Ｔ１ｉはログインされていない状態であるものとして説明する。また、図６において、上記図２と同一部分には同一符号を付して詳細な説明を省略する。
【００３６】
主装置ＢＴ１において、内線グループＧ１宛の着信呼が到来した場合に、着信分配部１３が均等分配方式に従い、エージェントグループ管理部１１にエージェント端末、例えば電話端末Ｔ２１のログイン状態を問い合わせ、最終的にログイン状態の電話端末Ｔ２１に対して着信先を決定し、専用線１を介して主装置ＢＴ２に対してエージェント着信情報を送信する。
【００３７】
主装置ＢＴ２は着信制御部２３において、専用線１より主装置ＢＴ１からのエージェント着信情報を受信し、着信先エージェント端末、つまり電話端末Ｔ２１の空塞状態、着信拒否設定有無、障害状態を判定し、エージェント端末に対する着信結果情報を専用線１を介して主装置ＢＴ１に送信する。
【００３８】
主装置ＢＴ１は着信分配部１３において、専用線１より受信した主装置ＢＴ２からの着信結果情報を分析し、着信不可の場合は均等分配方式に従い、再度エージェントグループ管理部１１に次エージェント端末である電話端末Ｔ２２のログイン状態を問合せ、最終的にログイン状態のエージェント端末に対して着信先を決定し、再度専用線１を介して主装置ＢＴ２に対してエージェント着信情報を送信する。
【００３９】
主装置ＢＴ１は、最終的に主装置ＢＴ２からエージェント端末、つまり電話端末Ｔ２２に対する着信結果情報として着信可を受信した場合に、着信分配部１３の均等分配処理を終了する。
【００４０】
以上のように上記第２の実施形態では、公衆網ＰＮＷから内線グループＧ１宛の着信呼が到来した場合に、管理テーブル１１１を参照して、複数の電話端末Ｔ１１〜Ｔ３ｐに対しグループ単位で着信分配を行なうことができる。
【００４１】
なお、エージェントグループに属するエージェント端末に対する自動着信均等分配は、従来エージェントグループと同一主装置内に限定されていたが、エージェントグループが設定されたマスターの主装置ＢＴ１と同一の専用線１上の主装置ＢＴ２，ＢＴ３に属する任意のエージェント端末に対して可能となった。
【００４２】
（第３の実施形態）  
図７は、この発明の第３の実施形態として、自動着信呼分配を行ない、空きの電話端末を待つ際の主装置ＢＴ１と主装置ＢＴ２との間における情報の送受信動作を示す概略シーケンス図である。なお、ここでは、主装置ＢＴ１に収容される電話端末Ｔ１１〜Ｔ１ｉはログインされていない状態であるものとして説明する。また、図７において上記図２と同一部分には同一符号を付して詳細な説明を省略する。
【００４３】
主装置ＢＴ１は、最終的に主装置ＢＴ２からエージェント端末、つまり電話端末Ｔ２１〜Ｔ２ｍに対する着信結果情報がすべて着信不可となり、着信可能なエージェント端末が存在しない場合、着信呼をエージェントグループに対してキューイングさせる。つまり、着信呼を主装置ＢＴ１内の所定のメモリ１６に一時保持する。
【００４４】
主装置ＢＴ２の例えば通話中の電話端末Ｔ２２が終話し着信可能な状態に遷移した場合、ネットワーク端末状態通信部２２において、電話端末Ｔ２２の状態更新情報を専用線１を介して主装置ＢＴ１に送信する。
【００４５】
主装置ＢＴ１はネットワーク端末状態通信部１４において、専用線１より主装置ＢＴ２からのエージェント端末状態更新情報を受信し、着信可能な状態の場合は着信分配部１３より専用線１を介してスレーブの主装置ＢＴ２に対してエージェント着信情報を送信する。
【００４６】
以後、主装置ＢＴ１は、メモリ１６に保持されている着信呼を空きの電話端末Ｔ２２に転送し着信させる。
【００４７】
以上のように上記第３の実施形態では、主装置ＢＴ１において、内線グループＧ１宛の着信呼が到来した場合に、該当する内線グループＧ１に属する全電話端末Ｔ１１〜Ｔ３ｐが塞がっている場合に、発信元に対し呼び出せない旨をすぐに知らせるのではなく、着信呼を一旦メモリ１６に保持し、内線グループＧ１内で空きの電話端末Ｔ２２が発生した時点で、メモリ１６に保持されている着信呼を空きの電話端末Ｔ２２に着信させるようにしている。
【００４８】
従って、発信側では最初から発信操作をやり直す必要がなく、確実に内線グループＧ１内の電話端末Ｔ２２に着信させることができる。
【００４９】
（第４の実施形態）  
図８は、この発明の第４の実施形態として、自動着信呼分配を行ない、空きの電話端末がなく着信転送を行なう際の主装置ＢＴ１と主装置ＢＴ４との間における情報の送受信動作を示す概略シーケンス図である。なお、主装置ＢＴ４は上記主装置ＢＴ２と同様な構成であるものとする。
【００５０】
主装置ＢＴ１は、メモリ１６に着信呼を保持し、主装置ＢＴ２の電話端末Ｔ２１〜Ｔ２ｍ，主装置ＢＴ３の電話端末Ｔ３１〜Ｔ３ｐが空きとなるまで待っているものとする。
【００５１】
しかしながら、このとき主装置ＢＴ２の電話端末Ｔ２１〜Ｔ２ｍ，主装置ＢＴ３の電話端末Ｔ３１〜Ｔ３ｐが一定時間経過しても空きとならなかったとする。そうすると主装置ＢＴ１は、オーバーフロー制御部１５において、転送先テーブル１１２を参照し、内線グループＧ１に対する着信転送先が登録されているか否かを判定する。そして、図４に示すように、内線グループＧ１に対する着信転送先が登録されているので、この中の優先順位第１位の電話端末Ｔ４１に着信呼を転送するため、専用線１を介して主装置ＢＴ４に対してオーバーフロー着信情報を送信する。
【００５２】
主装置ＢＴ４は着信制御部２３において、専用線１より受信した主装置ＢＴ１からのオーバーフロー着信情報を分析し、オーバーフロー着信先端末となる電話端末Ｔ４１の空塞状態、着信拒否設定有無、障害状態を判定し、電話端末Ｔ４１に対する着信結果情報を専用線１を介して主装置ＢＴ１に送信する。
【００５３】
主装置ＢＴ１はオーバーフロー制御部１５において、専用線１より受信した主装置ＢＴ４からの電話端末Ｔ４１の着信結果情報に応じて処理を行う。そして、着信可の場合はメモリ１６に保持されている着信呼を電話端末Ｔ４１に転送し着信報知を行なわせる。
【００５４】
なお、オーバーフロー先が通話中、着信拒否または障害発生の場合は、次優先順位となる主装置ＢＴ５の電話端末Ｔ５２に着信呼を転送するため、専用線１を介して主装置ＢＴ５に対して再度オーバーフロー着信情報を送信する。
【００５５】
なお、上記主装置ＢＴ１において、一定時間内に空きの電話端末があるか否かの判定は図示しないタイマにより行なわれる。またこのタイマの計時時間は、グループごとに予め定めた時間に応じて行なわれる。
【００５６】
以上のように上記第４の実施形態では、例えば内線グループＧ１に属する電話端末Ｔ１１〜Ｔ１ｉ，Ｔ２１〜Ｔ２ｍ、Ｔ３１〜Ｔ３ｐが全て話中であり、一定時間が経過しても空きの電話端末が無い場合に、他の着信可能な電話端末Ｔ４１に対しメモリ１６に保持されている着信呼を自動的に転送して着信させることが可能となる。これにより、内線グループＧ１内で着信呼がいつまでもメモリ１６を占有することなく、これによりメモリ１６の有効利用率を高めることができる。これにより着信呼をフレキシブルに制御することが可能となる。
【００５７】
また、主装置ＢＴ１において、オーバーフロー先、つまり着信転送先が複数ある場合に、転送先テーブル１１２中に転送先を優先度順に登録し、これらの転送先の中から優先度の高い電話端末を選択して着信を行なわせるようにしたので、優先順位の高い転送先の電話端末Ｔ４１が話中だったとしても、優先順位の次に高い電話端末Ｔ５２を選択して着信することができる。
【００５８】
（その他の実施形態）  
なお、この発明は上記実施形態に限定されるものではない。例えば上記第４の実施形態では、着信転送先に電話端末を指定する例について説明した。しかしこれに限ることなく、着信転送先をグループとしてもよい。
【００５９】
また、上記第４の実施形態では、着信転送先に複数の電話端末を優先順位とともに記憶する例について説明したが、着信転送先が１つの電話端末または１グループであってもよい。
【００６０】
さらに、上記各実施形態では、内線グループごとにマスターとして動作する主装置を割り当てる構成としているが、スレーブとして動作する複数の主装置を内線グループに分割し、マスターとしての１台の主装置により各内線グループを管理するようにしてもよい。
【００６１】
その他、システム構成、マスターとしての主装置の構成、スレーブとしての主装置の構成、専用線等の通信ネットワークの種類、電話端末の種類、各制御の制御手順とその内容等についても、この発明の要旨を逸脱しない範囲で種々変形して実施可能である。
【図面の簡単な説明】
【００６２】
【図１】この発明に係わる電話システムの第１の実施形態を示す概略構成図。
【図２】同第１の実施形態において、マスターとして動作する主装置とスレーブとして動作する主装置との接続構成を示す機能ブロック図。
【図３】図２に示した管理テーブルの記憶内容の一例を示す図。
【図４】図２に示した管理テーブルの記憶内容の一例を示す図。
【図５】同第１の実施形態において、ログイン状態更新を行なう際のマスター主装置と、スレーブ主装置との間における情報の送受信動作を示す概略シーケンス図。
【図６】この発明の第２の実施形態として、自動着信呼分配を行なう際のマスター主装置とスレーブ主装置との間における情報の送受信動作を示す概略シーケンス図。
【図７】この発明の第３の実施形態として、自動着信呼分配を行ない、空きの電話端末を待つ際のマスター主装置とスレーブ主装置との間における情報の送受信動作を示す概略シーケンス図。
【図８】この発明の第４の実施形態として、自動着信呼分配を行ない、空きの電話端末がなく着信転送を行なう際のマスター主装置と転送先となる主装置との間における情報の送受信動作を示す概略シーケンス図。
【符号の説明】
【００６３】
１…専用線、１１…エージェントグループ管理部、１２，２１…ネットワークログイン通信部、１３…着信分配部、１４，２２…ネットワーク端末状態通信部、１５…オーバーフロー制御部、２３…着信制御部、ＢＴ１〜ＢＴｎ…主装置、Ｔ１１〜Ｔ１ｉ，Ｔ２１〜Ｔ２ｍ，Ｔ３１〜Ｔ３ｐ，Ｔｎ１〜Ｔｎｋ…電話端末、ＮＷ１，ＮＷ２…公衆網。
【図１】
2007088894.tif 000003
【図２】
2007088894.tif 000004
【図３】
2007088894.tif 000005
【図４】
2007088894.tif 000006
【図５】
2007088894.tif 000007
【図６】
2007088894.tif 000008
【図７】
2007088894.tif 000009
【図８】
2007088894.tif 000010